(57)【要約】【課題】  第二吸収部の尿の第一吸収部への浸透を抑制可能な交換可能な吸収部材を有する吸収体を提供する。【解決手段】  吸収体本体１、液体の吸収に用いられる第一吸収部２２Ａ、液体の吸収に用いられる第二吸収部３、液体の浸透を遮断するのに用いられる遮断部４４Ａを備える交換可能な吸収部材を有する吸収体である。吸収体本体１上には結合面１１が設置されている。第一吸収部２２Ａは、吸収体本体１の結合面１１に結合されている。第二吸収部３は取り外し可能に、吸収体本体１の結合面１１に結合されている。遮断部４４Ａは、第一吸収部２２Ａと第二吸収部３との間に設置され、第二吸収部３の液体が第一吸収部２２Ａへの浸透することを遮断することができる。遮断部４４Ａ及び第二吸収部３のうち、少なくとも一方には、第一漏れ防止辺４１が設置されている。これにより第二吸収部３の尿の第一吸収部２２Ａへの滲み出しが抑制される。【選択図】  図１
2015139664.tif 000002
【特許請求の範囲】
【請求項１】
交換可能な吸収部材を有する吸収体であって、
吸収体本体、液体の吸収に用いられる第一吸収部、液体の吸収に用いられる第二吸収部、液体の浸透を遮断するのに用いられる遮断部を備え、
前記吸収体本体は、結合面を有し、
前記第一吸収部は、前記吸収体本体の結合面に結合されており、
前記第二吸収部は、取り外し可能に、前記吸収体本体の結合面に結合されており、
前記遮断部は、前記第一吸収部と前記第二吸収部との間に設置されており、前記第二吸収部の液体が前記第一吸収部へ浸透することを抑制し、
前記遮断部および前記第二吸収部のうち、少なくとも一方に、第一漏れ防止辺が設置されていることを特徴とする交換可能な吸収部材を有する吸収体。
【請求項２】
前記吸収体本体は、２個の穿伸口が開設されており、
前記結合面と前記２個の穿伸口との間には、第二漏れ防止辺が設置されており、
前記第一漏れ防止辺は、前記第二漏れ防止辺に連接されていることを特徴とする請求項１に記載の交換可能な吸収部材を有する吸収体。
【請求項３】
前記吸収体本体の結合面と前記第一漏れ防止辺との間には、収容口が形成されており、前記第二吸収部が設置されていることを特徴とする請求項１に記載の交換可能な吸収部材を有する吸収体。
【請求項４】
前記第一漏れ防止辺は、相対する２個の側辺及び２個の端辺を有し、
前記２個の側辺は、前記吸収体本体の結合面に連接されており、
前記第一漏れ防止辺の２個の端辺は、長さが異なり、一方が前記結合面に連接されており前記収容口を形成することを特徴とする請求項３に記載の交換可能な吸収部材を有する吸収体。
【請求項５】
前記第一漏れ防止辺は、前記第二吸収部を取り囲むことを特徴とする請求項１〜４のいずれの一項に記載の交換可能な吸収部材を有する吸収体。
【請求項６】
前記第一吸収部は、内部に吸水コットンが充填されており、
前記第二吸収部は、複数の高分子吸収体が混合されている吸水コットンが、内部に充填されていることを特徴とする請求項１に記載の交換可能な吸収部材を有する吸収体。
【請求項７】
前記第二吸収部は、粘着剤により、取り外し可能に、前記吸収体本体の結合面に接続されていることを特徴とする請求項１に記載の交換可能な吸収部材を有する吸収体。
【請求項８】
前記第一吸収部は、２個であり、前記第二吸収部の両側にそれぞれ設置されていることを特徴とする請求項１に記載の交換可能な吸収部材を有する吸収体。
【請求項９】
交換可能な吸収部材を有する吸収体であって、
吸収体本体、液体の吸収に用いられる第一吸収部、液体の吸収に用いられる第二吸収部、液体の浸透を遮断するのに用いられる遮断部を備え、
前記吸収体本体は、結合面を有し、
前記第一吸収部は、前記吸収体本体の結合面に結合されており、
前記第二吸収部は、取り外し可能に、前記吸収体本体の結合面に結合されており、
前記遮断部は、前記第一吸収部と前記第二吸収部との間に設置されており、前記第二部に吸収された液体が前記第一吸収部へ滲み出すことを遮断することを特徴とする交換可能な吸収部材を有する吸収体。  
【発明の詳細な説明】
【技術分野】
【０００１】
本発明は、吸収体に関し、交換可能な吸収部材を有する吸収体に関する。
【背景技術】
【０００２】
一般の吸収体を備えたキャリア部材（紙オムツなど）は、適時にトイレへ行くことができない嬰児／幼児、病人、或いは老人に適用し、その清潔の維持を助けるものである。
【０００３】
しかし、使用においては、ケア担当者が適時に紙オムツを交換し、皮膚の乾燥を維持し、湿疹或いはオムツかぶれの発生を回避する必要がある。
【０００４】
けれども、紙オムツの交換回数が頻繁に過ぎれば、使用量が多くなりすぎ、費用とゴミの問題が発生する。
【０００５】
特許文献１に記載の「省エネ環境保護両用アンダーパンツ」は、アンダーパンツ本体及び可動防湿カバーを備える。
アンダーパンツ本体は、外から内への順番に、テトロン（Ｔｅｔｏｒｏｎ（登録商標））、複数層のコットン質層、及びナイロン層を有する。
ナイロン層には、固定部が設置されている。
可動防湿カバーは、アンダーパンツ本体の固定部に固定され、吸収尿量を増加する。
可動防湿カバーは、普段はアンダーパンツ本体に固定される。
尿で濡れた時には、取り出し、吸水材質を交換する。
吸水材質の違いにより、異なる吸収量を提供することができる。
【先行技術文献】
【特許文献】
【０００６】
【特許文献１】台湾特許番号第Ｍ３７７９６８号明細書
【発明の概要】
【発明が解決しようとする課題】
【０００７】
しかし、上述した発明は使用上に欠点があり、改善する必要がある。その原因は下記の通りである。
【０００８】
（１）可動防湿カバーの尿は、毛管作用により、周囲のコットン質層及びナイロン層へと浸透するため、大きな面積の皮膚が尿の湿気に接触する。よって、実際の使用においては、ケア担当者はやはり頻繁に交換しなければならないため、特許文献１は実用性を備えない。
【０００９】
（２）尿量が多い時には、特許文献１に記載の可動防湿カバーは、即時に尿を吸収することができず、尿が付近のナイロン層まで直接に流れていき、ナイロン層付近の皮膚の乾燥を維持することが難しくなる。
本発明は、上述の問題に鑑みてなされたものであり、その目的は、皮膚の広い面積が尿に接触し易いという従来の構造に存在する欠点を改善することができる交換可能な吸収部材を有する吸収体を提供することにある。
【課題を解決するための手段】
【００１０】
本発明による交換可能な吸収部材を有する吸収体は、吸収体本体、液体の吸収に用いられる第一吸収部、液体の吸収に用いられる第二吸収部、液体の浸透を遮断するのに用いられる遮断部を備える。
吸収体本体は、結合面を有する。
第一吸収部は、吸収体本体の結合面に結合されている。
第二吸収部は、取り外し可能に、吸収体本体の結合面に結合されている。
遮断部は、第一吸収部と第二吸収部との間に設置されており、第二吸収部の液体が第一吸収部へ浸透することを抑制する。
遮断部および第二吸収部のうち、少なくとも一方に、第一漏れ防止辺が設置されている。
【００１１】
また、吸収体本体は、２個の穿伸口が開設されている。
結合面と２個の穿伸口との間には、第二漏れ防止辺が設置されている。
第一漏れ防止辺は、第二漏れ防止辺に連接されている。
【００１２】
吸収体本体の結合面と第一漏れ防止辺との間には、収容口が形成されており、第二吸収部が設置されている。
【００１３】
第一漏れ防止辺は、相対する２個の側辺及び２個の端辺を有する。
２個の側辺は、吸収体本体の結合面に連接されている。
第一漏れ防止辺の２個の端辺は、長さが異なり、一方が結合面に連接されており収容口を形成する。
【００１４】
第一漏れ防止辺は、第二吸収部を取り囲む。
【００１５】
第一吸収部は、内部に吸水コットンが充填されている。第二吸収部は、複数の高分子吸収体が混合されている吸水コットンが、内部に充填されている。
【００１６】
第二吸収部は、粘着剤により、取り外し可能に、吸収体本体の結合面に接続されている。
【００１７】
第一吸収部は、２個であり、第二吸収部の両側にそれぞれ設置されている。
【００１８】
吸収体本体、液体の吸収に用いられる第一吸収部、液体の吸収に用いられる第二吸収部、液体の浸透を遮断するのに用いられる遮断部を備える。
吸収体本体は、結合面を有する。
第一吸収部は、吸収体本体の結合面に結合されている。
第二吸収部は、取り外し可能に、吸収体本体の結合面に結合されている。
遮断部は、第一吸収部と第二吸収部との間に設置されており、第二部に吸収された液体が第一吸収部へ滲み出すことを遮断する。
【００１９】
本発明の効果は下記の通りである。
（１）本発明は、第二吸収部と第一吸収部との間に液体の浸透を遮断するのに用いる区画部を設置することで、第二吸収部の尿の第一吸収部への滲み出しを回避することができ、第一吸収部に接触する皮膚の長時間の乾燥を維持することができる。
【００２０】
（２）本発明は、遮断部上に第一漏れ防止辺を設置するため、完全に吸収されていない尿の、第二吸収部への流出を防ぐことができる。
【００２１】
（３）本発明は、第一漏れ防止辺と吸収体本体との間に、収容口を設置し、第二吸収部の一部を収容口に入れるため、第二吸収部の外力の影響を受けて移動することを回避することができる。
【００２２】
（４）本発明の第二吸収部は、いっぱいに尿を吸収した後は交換可能であるため、使用者或いはケア担当者は、頻繁に吸収体本体を交換する必要がなく、使用上の利便性を増進し、吸収体本体の使用限度を拡大することができる。
【００２３】
（５）本発明の第二吸収部は、尿吸収に用いるため、複数の高分子吸収体が混合された吸水コットンが内部に充填されている。これにより尿の吸収量を増大することができる。第二吸収部は使い捨てであるため、少量の水分排泄物を吸収できればよく、第一吸収部には、高分子吸収体を充填していない。この方式により、コストが比較的高い高分子吸収体の使用量を抑え、製品のコストを下げ、一方では、充分な尿吸収量を確保し、第二吸収部を頻繁に交換する必要をなくし、使用上の利便性を高めることができる。
【図面の簡単な説明】
【００２４】
【図１】本発明の第一実施形態による交換可能な吸収部材を有する吸収体を示す斜視図である。
【図２】本発明の第一実施形態による交換可能な吸収部材を有する吸収体を示す分解斜視図である。
【図３】本発明の第一実施形態による交換可能な吸収部材を有する吸収体を示す平面模式図である。
【図４】本発明の第一実施形態による交換可能な吸収部材を有する吸収体を示す断面図である。
【図５】本発明の第一実施形態による交換可能な吸収部材を有する吸収体の使用を示す断面模式図である。
【図６】本発明の第二実施形態による交換可能な吸収部材を有する吸収体を示す図である。
【図７】本発明の第三実施形態による交換可能な吸収部材を有する吸収体を示す図である。
【発明を実施するための形態】
【００２５】
本発明の実施形態による交換可能な吸収部材を有する吸収体を図面に基づいて説明する。
（第一実施形態）
本発明の第一実施形態による交換可能な吸収部材を有する吸収体を図１〜図３に示す。図１〜３に示すように、本実施形態の交換可能な吸収部材を有する吸収体は、吸収体本体１、液体の吸収に用いられる第一吸収部２、液体の吸収に用いられる第二吸収部３を備える。
【００２６】
吸収体本体１は、結合面１１を備える。
具体的には、吸収体本体１は、例えば、シート体両端が向かい合って湾曲し連接して形成され、或いはパンツ体の形態を呈することができる。
結合面１１は、シート体上、或いはパンツ体内周に設置される。
液体の吸収に用いられる第一吸収部２は、吸収体本体１の結合面１１上に結合する。
液体の吸収に用いられる第二吸収部３は、取り外し可能に、吸収体本体１の結合面１１に結合する。
【００２７】
図４に示すように、具体的には、第一吸収部２は、内部に吸水コットン２１が充填されている。
第二吸収部３は、複数の高分子吸収体３２が混合される吸水コットン３１が内部に充填されている。
高分子吸収体３２の吸水量は、吸水コットンより大きい。
【００２８】
第二吸収部３は、粘着剤３３により、取り外し可能に、吸収体本体１の結合面１１に粘着されているが、これに限定するものではない。
また例えば、第二吸収部３は、フェルト等類似の手段により、取り外し可能に吸収体本体１に結合可能である。
【００２９】
液体の浸透を遮断するのに用いられる遮断部４は、第一吸収部２と第二吸収部３との間に設置され、第二吸収部３の液体の第一吸収部２への浸透を遮断することができる。
例えば、第一吸収部２と第二吸収部３との間には、結合面１１に、間隔を開け、遮断部４とすることができる。
吸収体本体１そのものは、非吸水材質（或いは吸水効果が極めて低い）であるため、間隔を利用し、液体の浸透を遮断できる。
当然、防水物質を遮断部４として利用することもできる。
【００３０】
好ましくは、さらに第一漏れ防止辺４１を有する。
本実施形態では、第一漏れ防止辺４１は、遮断部４に設置されているが、これに限定するものではなく、第二吸収部３に設置可能である。
或いは遮断部４及び第二吸収部３はともに、第一漏れ防止辺４１に設置される。
その主な目的は、第二吸収部３に即時に吸収されていない液体が、第一吸収部２へ直接に流れることを防止することである。
【００３１】
好ましくは、吸収体本体１の結合面１１と第一漏れ防止辺４１との間に、収容口４２を形成し、第二吸収部３の一部を、収容口４２に入れ、第二吸収部３の外力の影響を受けて移動することを回避する。
第一漏れ防止辺４１は、相対する２個の端辺４１１ａ、４１１ｂ及び２個の側辺４１２を有する。
第一漏れ防止辺４１の２個の端辺４１１ａ、４１１ｂは、長さが異なり、一方の端辺４１１ａの長さが短く、或いはもう一方の端辺４１１ｂより長い、
一方の端辺４１１ａは、吸収体本体１の結合面１１に連接する。
端辺４１１ａ、４１１ｂの長さが相互に異なる方式により、収容口４２を形成する。
２個の側辺４１２は、吸収体本体１の結合面１１に連接する。
【００３２】
好ましくは、吸収体本体１には、２個の穿伸口１２が開設される。
結合面１１と２個の穿伸口１２との間には、第二漏れ防止辺１３が設置される。
第一漏れ防止辺４１は、２個の第二漏れ防止辺１３に連接し、液体の流動を遮断する効果をさらに高める。
【００３３】
使用の状況に関しては、図５に示すように、尿が吸収体本体１の第二吸収部３に排出されると、第二吸収部３は、尿を吸収し、第二吸収部３の第一漏れ防止辺４１により、完全に吸収されていない尿が第二吸収部３への流出が抑制される。
第二吸収部３と第一吸収部２との間には、液体の浸透を遮断するのに用いられる遮断部４が設置されているため、第二吸収部３の尿の第一吸収部２への染み出しを回避することができる。
こうして、第一吸収部２に接触する皮膚は、長時間の乾燥を維持する。
第二吸収部３が尿をいっぱい吸収すると、交換し、これにより使用者或いはケア担当者は、頻繁に吸収体本体１を交換する必要がなく、使用上の利便性が高まり、吸収体本体１の使用限度を拡大することができる。
【００３４】
第二吸収部３は、尿の吸収に特に用いられるため、第二吸収部３は、複数の高分子吸収体３２が混合された吸水コットン３１が内部に充填される。
これにより尿の吸収量を増大することができる。
第一吸収部２は使い捨てであるため、少量の水分排泄物水分を吸収できればよく、よって第一吸収部２には、高分子吸収体が充填されていない。
これにより、コストが比較的高い高分子吸収体の使用量を抑え、製品のコストを下げ、一方では、充分な尿吸収量を確保し、第二吸収部３を頻繁に交換する必要をなくし、使用上の利便性を高めることができる。
【００３５】
（第二実施形態）
図６に示すように、本発明の第二実施形態は、２個の第一吸収部２ａ、２ｂを、第二吸収部３ａの両側にそれぞれ設置する。
第二吸収部３ａの位置は、女性使用者の尿が排泄される位置に対応し、同様に尿の吸収に用いられる。
第二吸収部３Ａの両側には、遮断部４ａ、４ｂ及び第一漏れ防止辺４１ａ、４１ｂがそれぞれ設置され、これにより吸収体本体１ａは特に女性使用者に適用することができる。
【００３６】
（第三実施形態）
図７に示すように、本発明の第三実施形態の吸収体本体１ｂの第一漏れ防止辺４１ｃは、第二吸収部３を取り囲む。
これにより、液体の流動を遮断する効果をさらに高めることができる。
【００３７】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００３８】
１１Ａ、１ｂ  吸収体本体、
１１  結合面、
１２  穿伸口、
１３  第二漏れ防止辺、
２２Ａ、２ｂ  第一吸収部、
２１  吸水コットン、
３  第二吸収部、
３１  吸水コットン、
３２  高分子吸収体、
３３  粘着剤、
４、４ａ、４ｂ  遮断部、
４１、４１ａ、４１ｂ、４１ｃ  第一漏れ防止辺、
４１１ａ、４１１ｂ  端辺、
４１２  側辺、
４２  収容口。  
【図１】
2015139664.tif 000003
【図２】
2015139664.tif 000004
【図３】
2015139664.tif 000005
【図４】
2015139664.tif 000006
【図５】
2015139664.tif 000007
【図６】
2015139664.tif 000008
【図７】
2015139664.tif 000009